(57)【要約】【課題】垂木側面から横架材に向けて簡単にビスを挿着でき、施工品質も確保し易い垂木固定用のガイド金物及び垂木の固定方法を提供する。【解決手段】ガイド金物１を、垂木３１と横架材３２との間に介装され、ビスが貫通できる底面部１１と、底面部１１に立設されるとともに、垂木側面３１ａに沿って配置され、ガイド孔２２を有する側面部１２と、側面部１２外方に跳ね出して形成され、挿入孔２１を有する跳出部１３と、を備え、ビスが、ガイド孔２２と挿入孔２１とを結んで形成される挿入方向Ａに沿って挿入されるとともに、ビスの挿入に伴って、跳出部１３が、側面部１２に密着するように折り畳まれる構成とした。【選択図】  図２
2010116740.tif 000002
【特許請求の範囲】
【請求項１】
螺子が螺設されたビスを垂木側面から横架材に向けて斜めに挿着することにより、垂木を横架材に固定する垂木固定用のガイド金物であって、
垂木と横架材との間に介装され、ビスが貫通できる底面部と、
該底面部に立設されるとともに、垂木側面に沿って配置され、ガイド孔を有する側面部と、
該側面部外方に跳ね出して形成され、挿入孔を有する跳出部と、を備え、
ビスが、該ガイド孔と該挿入孔とを結んで形成される挿入方向に沿って挿入されるとともに、該ビスの挿入に伴って、該跳出部が、該側面部に密着するように折り畳まれるガイド金物。
【請求項２】
該跳出部が、該挿入方向と略直交する平面をなす請求項１に記載のガイド金物。
【請求項３】
該跳出部から、該側面部に向けて折り返された延設部が延設され、
該ビスの挿入に伴って、該延設部が、該跳出部と連係して折り畳まれる請求項２に記載のガイド金物。
【請求項４】
該底面部を垂木裏面に沿わせて支持する台座部を備えた請求項３に記載のガイド金物。
【請求項５】
該挿入孔に、挿入されるビスの頭部に対応する形状のガイド片が周設された請求項４に記載のガイド金物。
【請求項６】
一枚のシート状をなし、所定の折れ線で適宜山折りと谷折りをおこなうことによって折り曲げ形成される請求項４に記載のガイド金物。
【請求項７】
螺子が螺設されたビスを垂木側面から横架材に向けて斜めに挿着することにより、垂木を横架材に固定する垂木の固定方法であって、
ビスが貫通できる底面部と、該底面部に立設され、ガイド孔を有する側面部と、該側面部外方に跳ね出して形成され、挿入孔を有する跳出部と、によって上部開放の略凹形状をなして形成されるガイド金物を、横架材の上面に載置固定するステップと、
該ガイド金物に、垂木を嵌め入れるステップと、
該ガイド孔と該挿入孔とを結んで形成される挿入方向に沿って、ビスを挿入するステップと、
該ビスの挿入に伴って、該跳出部が、該側面部に密着するように折り畳まれるステップと、を含む垂木の固定方法。
【発明の詳細な説明】
【技術分野】
【０００１】
本発明は、螺子が螺設されたビスを垂木側面から横架材に向けて斜めに挿着することにより、垂木を横架材に固定する垂木固定用のガイド金物及び垂木の固定方法に関する。
【背景技術】
【０００２】
従来、木造建築物では、垂木を軒桁、母屋、棟木等の横架材に固定するために、垂木側面から横架材に向けて釘を斜め下方に打ち込むのが一般的である。しかしながら、釘の打ち込みのみでは、風による吹き上げ力等に抵抗できないため、ひねり金物と呼ばれる金物の取り付けが別途必須となり、施工手間のかかるものであった。
【０００３】
また、このような釘の打ち込みは熟練した技術を要する難しいものであり、垂木の割れや、横架材への打ち込み不足等の施工ミスが発生しやすく、施工者により固定強度に差が出るなど、施工品質が施工者の技術に左右されてしまうことがあった。さらに、横架材には、垂木を載置嵌入するための垂木道（垂木堀）が設けられることも多いため、横架材の加工が頻雑となっていた。
【０００４】
これに対して、出願人は、垂木の横架材への固定を容易にするような固定金具を提案している（例えば特許文献１，２）。
【特許文献１】特開２００１−２４８２５７号公報
【特許文献２】特許第４０７００１９号公報
【発明の開示】
【発明が解決しようとする課題】
【０００５】
垂木と横架材との固定強度を向上させ、ひねり金物等を別途取り付けることなく、風による吹き上げ力等に抵抗するためには、従来の釘に替えて、螺子が螺設されたビスを用いることが好ましい。ところが、ビスを斜め方向に適正角度を保って挿着することは、釘以上に困難をきわめる。
上記特許文献１及び２など従来提案されている固定金具においても、垂木側面から横架材に向けてのビスの挿着をガイドするものは見当たらない。
【０００６】
そこで、本発明は、上記問題に鑑みてなされたものであり、釘よりも引抜抵抗の大きいビスを用いることに着眼し、垂木側面から横架材に向けて簡単にビスを挿着でき、施工品質も確保し易い垂木固定用のガイド金物及び垂木の固定方法を提供することを目的とする。
【課題を解決するための手段】
【０００７】
上記の課題を解決するために、請求項１に記載のガイド金物は、螺子が螺設されたビスを垂木側面から横架材に向けて斜めに挿着することにより、垂木を横架材に固定する垂木固定用のガイド金物であって、垂木と横架材との間に介装され、ビスが貫通できる底面部と、該底面部に立設されるとともに、垂木側面に沿って配置され、ガイド孔を有する側面部と、該側面部外方に跳ね出して形成され、挿入孔を有する跳出部と、を備え、ビスが、該ガイド孔と該挿入孔とを結んで形成される挿入方向に沿って挿入されるとともに、該ビスの挿入に伴って、該跳出部が、該側面部に密着するように折り畳まれることを要旨とする。
【０００８】
また、請求項２に記載のガイド金物は、請求項１に記載のガイド金物において、該跳出部が、該挿入方向と略直交する平面をなすことを要旨とする。
【０００９】
また、請求項３に記載のガイド金物は、請求項２に記載のガイド金物において、該跳出部から、該側面部に向けて折り返された延設部が延設され、該ビスの挿入に伴って、該延設部が、該跳出部と連係して折り畳まれることを要旨とする。
【００１０】
また、請求項４に記載のガイド金物は、請求項３に記載のガイド金物において、該底面部を垂木裏面に沿わせて支持する台座部を備えたことを要旨とする。
【００１１】
また、請求項５に記載のガイド金物は、請求項４に記載のガイド金物において、該挿入孔に、挿入されるビスの頭部に対応する形状のガイド片が周設されたことを要旨とする。
【００１２】
また、請求項６に記載のガイド金物は、請求項４に記載のガイド金物において、一枚のシート状をなし、所定の折れ線で適宜山折りと谷折りをおこなうことによって折り曲げ形成されることを要旨とする。
【００１３】
また、請求項７に記載の垂木の固定方法は、螺子が螺設されたビスを垂木側面から横架材に向けて斜めに挿着することにより、垂木を横架材に固定する垂木の固定方法であって、ビスが貫通できる底面部と、該底面部に立設され、ガイド孔を有する側面部と、該側面部外方に跳ね出して形成され、挿入孔を有する跳出部と、によって上部開放の略凹形状をなして形成されるガイド金物を、横架材の上面に載置固定するステップと、該ガイド金物に、垂木を嵌め入れるステップと、該ガイド孔と該挿入孔とを結んで形成される挿入方向に沿って、ビスを挿入するステップと、該ビスの挿入に伴って、該跳出部が、該側面部に密着するように折り畳まれるステップと、を含むことを要旨とする。
【発明の効果】
【００１４】
本発明によれば、螺子が螺設されたビスを垂木側面から横架材に向けて斜めに挿着することにより、垂木を横架材に固定する垂木固定用のガイド金物であって、垂木と横架材との間に介装され、ビスが貫通できる底面部と、該底面部に立設されるとともに、垂木側面に沿って配置され、ガイド孔を有する側面部と、該側面部外方に跳ね出して形成され、挿入孔を有する跳出部と、を備え、ビスが、該ガイド孔と該挿入孔とを結んで形成される挿入方向に沿って挿入されるとともに、該ビスの挿入に伴って、該跳出部が、該側面部に密着するように折り畳まれる構成としたため、垂木側面から横架材に向けて簡単にビスを挿着でき、施工品質も確保し易い。
【発明を実施するための最良の形態】
【００１５】
以下、本発明の一実施形態を図面に基づいて説明する。図１〜図６は、本実施形態に係るガイド金物１を示す図であり、図１は斜視図、図２は断面図、図３は側面図、図４は展開図、図５（ａ）は、ガイド金物１を用いて横架材３２に垂木３１を固定する前の状態を示す斜視図、図５（ｂ）は、ガイド金物１を用いて横架材３２に垂木３１を固定した状態を示す側面図、図６（ａ）〜（ｉ）は、ガイド金物１によるビス３３の挿着状況を示す図である。
【００１６】
ガイド金物１は、図５（ａ）及び（ｂ）に示すように、螺子が螺設されたビス３３を、屋根傾斜方向に沿って設置される垂木３１の垂木側面３１ａから、横架材３２に向けて斜めに挿着することにより、垂木３１を横架材３２に固定するためのものである。
【００１７】
ガイド金物１は、図１及び図２に示すように、垂木３１と横架材３２との間に介装される底面部１１と、底面部１１の左右両端に立設されるとともに、垂木側面３１ａに沿って配置される側面部１２とを備え、全体として上部開放の略凹形状をとるよう構成されている。底面部１１は、ビス３３を貫通できる材質ないし構造を有している。
【００１８】
側面部１２には、図１及び図２に示すように、左右外方にそれぞれ跳ね出して形成される跳出部１３が付設されており、跳出部１３の所定位置には、上記のビス３３を挿入するための挿入孔２１が設けられている。
挿入孔２１の孔径は、ビス３３の軸部５２より大きく、頭部５１より小さくなるように設定（図６参照）するのが好ましい。左右の跳出部１３に挿入孔２１を設ける場合は、挿入孔２１を対角状に設けることで、垂木３１や横架材３２中でのビス３３同士の干渉を回避できる。
【００１９】
側面部１２には、挿入孔２１から挿入されたビス３３が垂木３１に対してある一定の角度を保持しながら打ち込まれるように、ガイド孔２２が設けられている。ガイド孔２２の孔径はビス３３の軸部５２に略相当する大きさとするのが好ましいが、これに限定されない。例えば、ビス３３の挿入に伴って次第に拡開する構造とすることもできる。
【００２０】
ビス３３は、図２に示すように、跳出部１３に設けられた挿入孔２１と、側面部１２に設けられたガイド孔２２とを結ぶ直線状の挿入方向Ａに従って挿入される。この実施形態では、跳出部１３が、挿入方向Ａと、略直交する平面をなすように形成されているため、ビス３３を適正角度で挿入し易く、また、ビス３３の頭部５１による押圧力を跳出部１３に効果的に伝え易いものとなっている。なお、垂木３１から横架材３２にビス３３が貫通し易いように、底面部１１の挿入方向Ａと交わる位置にあらかじめ貫通孔（図示せず）を設けておいてもよい。
【００２１】
跳出部１３の構造は、側面部１２から左右外方にそれぞれ跳ね出した構造であれば、側面部１２の任意の位置から跳ね出して構わない。但し、側面部１２上端から跳ね出すような場合は、側面部１２と跳出部１３とを一体成形し易く、一枚のシート状板からガイド金物１を形成することも可能となって（後述）、製造が容易となる。
また、跳出部１３の側面部１２から跳ね出す角度は、鋭角、鈍角、直角といった角度に限定されることはなく、任意の角度を付して構わない。但し、この角度が大き過ぎたり、逆に小さ過ぎると、挿入方向Ａを確保し難く、ビス３３を安定して挿入することも難しくなる。
図２に示すように、鋭角をなす場合は、跳出部１３と挿入方向Ａとを略直交させ得るため、挿入方向Ａを確保し易く、ビス３３を安定して挿入できるため好ましい。より好ましい角度は４５〜６０°程度と考えられる。
【００２２】
跳出部１３は、ビス３３を挿入方向Ａに従って挿入するに伴い、側面部１２に密着するように折り畳まれていく構成のものである。熟練の技術を要することから通常は困難とされるビス３３の斜め打ちが、ガイド金物１のこのような構造によって簡単に行うことができ、かつ、施工者の技術に左右されないため、安定した施工品質を保つことができる。
従来、垂木３１の固定には釘が用いられてきたが、螺子が螺設されたビス３３を用いて斜め下方に挿入することで、引抜抵抗が大きくなり屋根の固定強度が増大し、風の吹き上げ等に対する抵抗力が大きくなる。
【００２３】
図１及び図２に示すように、跳出部１３には、さらに、側面部１２に向けて折り返された延設部１３ａが延設されている。延設部１３ａは、ビス３３の挿入に伴い、跳出部１３と連係して、折り畳まれていくよう構成されている。跳出部１３は、側面部１２の外面から跳ね出した構造をとるため、運搬時や施工時の衝撃によって変形する可能性がある。延設部１３ａは、主として、跳出部１３のこのような変形を防ぐ役割を担っている。延設部１３ａの形状は、図１に示すようなものだけでなく、その趣旨を逸脱しない範囲での変更が可能である。
【００２４】
底面部１１には、図３に示すように、底面部１１を垂木１３の裏面に沿わせて支持するよう構成された台座部１４が付設されている。台座部１４は、横架材３２の上面に接する水平部分と、底面部１１と水平部分をつなぐ鉛直部分から形成される。台座部１４は、底面部１１と同様、ビス３３を貫通できる材質ないし構造を有するような構成とされることは言うまでもない。
通常、垂木３１を横架材３２に固定すると、垂木３１と横架材３２の間に隙間が生じ、不安定に固定されることになるが、台座部１４が付設されることで、上記の隙間が埋められ、安定性を向上させることができる。従来、横架材３２に垂木堀と呼ばれる構造を形成することもあったが、台座部１４を有するガイド金物１を用いれば、垂木３１の倒れ方向に対する抵抗を垂木堀と同等にできるため、垂木堀を形成する必要がなくなり、横架材３２の加工手間を大幅に削減することが可能となる。
【００２５】
ガイド金物１は、図４に示すように、一枚のシート状板に切欠、切除等の加工を施し、所定の位置に折れ線Ｂを設け、適宜山折りと谷折りを行うことによって折り曲げ形成することができる。これにより、安価で大量に生産することが可能となる。但し、上記のように一枚のシート状板から製造する以外の方法をとってもよい。例えば、一部分だけを別途作成しておき、これと他の部分とを溶接や接着剤等の固着手段を用いて固着し、ガイド金物１を作製することもできる。
【００２６】
垂木３１と横架材３２との接合強度は、基本的にはビス３３に依存しており、ガイド金物１は主としてビス３３の挿入をガイドする役割を果たすものであるため、ガイド金物１自身には、必ずしも大きな材料強度は必要とされない。
このような観点から、ガイド金物１の構成材料については、金属板、合成樹脂あるいは厚紙等を制限なく用いることができる。一般には、耐衝撃性や耐劣化性に優れる薄手の金属板が用いられ得る。
【００２７】
上記によって構成されたガイド金物１を用いて、垂木３１を横架材３２に固定する手順について、図５及び図６を参照しながら、以下詳しく説明する。
ガイド金物１は、上述したとおり、垂木３１と横架材３２との間に介在するように設置され、跳出部１３に設けられた挿入孔２１からビス３３を挿入することで、垂木３１を横架材３２に固定するためのものである（図５（ａ）（ｂ）参照）。
【００２８】
第１の手順として、図５及び図６（ａ）に示すように、ガイド金物１を横架材３２の上面に載置固定し、次に、ガイド金物１の略凹形状をなしている部分に垂木３１を嵌め入れる。なお、ここで説明する手順の順序は、これに限定するものではなく、任意の順序によりこの手順を終えてもよい。例えば、垂木３１にガイド金物１を嵌め入れてから、横架材３２の上面に載置するといった手順でも差し支えない。
【００２９】
第２の手順として、図６（ｂ）に示すように、ビス３３をビス先端部５３から順に挿入孔２１に挿入していき、先端部５３がガイド孔２２に当たるように設置し、ビス３３の挿入方向Ａを確認する。
【００３０】
第３の手順として、図６（ｃ）及び図６（ｄ）に示すように、ビス３３を挿入方向Ａに沿って挿入する。ビス軸部５２には螺子が螺設されているが、適当な器具を用いて、頭部５１を回転させることで簡単にビス３３を挿入することができる。そして、ビス３３の挿入が進むと、軸部５２が垂木３１に入り込んでいき、ビス頭部５１が挿入孔２１に接する形となる。挿入孔２１の孔径はビス頭部５１より小さく設定されているため、ビス頭部５１は、挿入孔２１に引っ掛かっている状態となる。
【００３１】
第４の手順として、図６（ｅ）に示すように、ビス頭部５１が挿入孔２１に引っ掛かった状態から、さらにビス３３を挿入すると、ビス３３を押圧する力が跳出部１３に伝わり、まず、跳出部１３の内側部分４１が変形し始め、徐々に、側面部１２に密着するように折り畳まれていく。そして、内側部分４１は、図６（ｆ）に示すように、完全に側面部１２に密着する形状をとる。
【００３２】
第５の手順として、図６（ｇ）に示すように、内側部分４１が側面部１２に密着した状態からさらにビス３３を挿入すると、さらに、跳出部１３の外側部分４２が変形し始め、徐々に、側面部１２に密着するように折り畳まれていく。図６（ｈ）に示すように、内側部分４１及び外側部分４２の変形に連動して延設部１３ａも、側面部１２に密着するように折り畳まれていく。
【００３３】
上記手順を経ると、最終的に、図６（ｉ）に示すように、跳出部１３及び延設部１３ａは、側面部１２に密着するように折り畳まれ、ビス頭部５１は垂木３１にめり込んだ状態となる。このとき、ビス先端部５３及びビス軸部５２の一部分は、底面部１１及び台座部１４の水平部分とを貫通して、横架材３２まで到達しており、垂木３１は横架材３２にしっかりと固定されている。跳出部１３及び延設部１３ａは、図６（ｉ）に示す状態で、降伏等して、過度の復元力（引抜力）をビス３３に対して及ぼさないようになっていることが好ましい。
【００３４】
上記のガイド金物１によれば、螺子が螺設されたビス３３を垂木側面３１ａから横架材３２に向けて斜め下方に打ち込むことで、引抜抵抗が大きくなり、屋根の固定強度が増大する。
また、ビス３３を垂木側面３１ａへ斜めに打ち込むためには適正な角度にあけた下穴が必要となるが、ガイド金物１がその下穴の代わりとなり、ビス３３を非常に簡単に挿着することが可能となる。これにより、施工ミスが起き難くなり、作業者の熟練度によらず施工品質を一定に確保できる。そして、ひねり金物等を別途使用する必要がなくなり、施工手間を大幅に削減することができる。
さらに、上記のように跳出部１３及び延設部１３ａが折り畳まれることで、ビス３３がしっかりと頭部５１まで垂木３１に挿入されるため、固定強度が増大し、施工後の外観も見た目良く簡潔なものとできる。また、未施工箇所を簡単にチェックできるため、品質管理が容易となる。
【００３５】
上記実施形態の変形例としてのガイド金物１’を、図７（ａ）〜（ｄ）に示す。上記実施形態と共通する構成については、同一の符号を付してその説明を省略している。図７（ａ）に示すように、この変形例では、挿入孔２１に、挿入されるビス頭部５１に対応する形状のガイド片６１が周設されている。
【００３６】
図７（ａ）では、ガイド片６１が挿入孔２１から斜め下方に向かって周設されているが、例えば、挿入孔２１から斜め上方に向かって周設されるようにしてもよい。但し、斜め下方に周設された場合は、跳出部１３及び延設部１３ａが折り畳まれる際に、ガイド片６１も容易に折り畳まれるため、仕上がりの見栄えが良くなる等の利点がある。また、ガイド片６１は、ビス頭部５１に対応する形状であれば周方向に連続して設けられていなくてもよい。
【００３７】
図７（ａ）〜図７（ｄ）は、ガイド片６１が挿入孔２１に周設されたガイド金物１’を用いて、横架材３２に垂木３１を固定する手順を示したものである。
【００３８】
図７（ｂ）及び図７（ｃ）は、ビス３３を挿入孔２１に挿入し、ビス３３を挿入する手順を示したものであるが、この手順は、図６（ｂ）及び図６（ｃ）に示したのと同様に、挿入方向Ａに沿って、適当な器具を用いてビス頭部５１を回転させることでビス３３を垂木３１に挿入していく。
【００３９】
ビス３３を挿入し続けると、図７（ｄ）に示すように、ビス頭部５１が、挿入孔２１のガイド片６１に密着し、引っ掛かった状態となる。
【００４０】
図７（ｄ）以降の手順では、図６（ｅ）〜図６（ｈ）と同様にして、跳出部１３の内側部分４１が変形し、側面部１２に密着するように折り畳まれ、次に、跳出部１３の外側部分４２及び延設部１３ａが変形し、側面部１２に密着するように折り畳まれていく。
【００４１】
上記手順において、ビス頭部５１とガイド片６１の引っ掛かりが、跳出部１３及び延設部１３ａの折り畳みを生じさせるが、ガイド片６１を有するガイド金物１’を用いるとビス３３の挿入に際して挿入方向Ａを確保し易く、また、ビス頭部５１と挿入孔２１及びガイド片６１との接触面積が大きくなる。これによって、ビス３３をより安定して挿入することができる。
【００４２】
最終的に、図６（ｉ）と同様に、跳出部１３及び延設部１３ａは、側面部１２に密着するように折り畳まれ、ビス頭部５１は垂木３１にめり込んだ状態となり、垂木３１は横架材３２にしっかり固定される。
【００４３】
以上の実施形態の記述は、本発明をこれに限定するものではなく、本発明の要旨を逸脱しない範囲で種々の設計変更が可能である。例えば、挿入孔２１の数を増やすと、ビス３３を打ち込む箇所が増えることで、より強固に横架材３２に垂木３１を固定することができる。
【産業上の利用可能性】
【００４４】
本発明は、垂木側面から横架材に向けて簡単にビスを挿着でき、施工品質も確保し易い垂木固定用のガイド金物及び垂木の固定方法を提供するものであり、産業上の利用可能性を有する。
【図面の簡単な説明】
【００４５】
【図１】実施形態に係るガイド金物を示す斜視図である。
【図２】実施形態に係るガイド金物を示す断面図である。
【図３】実施形態に係るガイド金物を示す側面図である。
【図４】実施形態に係るガイド金物を示す展開図である。
【図５】（ａ）実施形態に係るガイド金物を用いて横架材に垂木を固定する前の状態を示す斜視図、（ｂ）実施形態に係るガイド金物を用いて横架材に垂木を固定した状態を示す側面図である。
【図６】（ａ）〜（ｉ）実施形態に係るガイド金物によるビスの挿着状況を示す図である。
【図７】（ａ）〜（ｄ）変形例に係るガイド金物によるビスの挿着状況を示す図である。
【符号の説明】
【００４６】
１、１’  ガイド金物
１１  底面部
１２  側面部
１３  跳出部
１３ａ  延設部
１４  台座部
２１  挿入孔
２２  ガイド孔
３１  垂木
３１ａ  垂木側面
３２  横架材
３３  ビス
４１  内側部分
４２  外側部分
５１  頭部
５２  軸部
５３  先端部
６１  ガイド片
Ａ  挿入方向
Ｂ  折れ線
【図１】
2010116740.tif 000003
【図２】
2010116740.tif 000004
【図３】
2010116740.tif 000005
【図４】
2010116740.tif 000006
【図５】
2010116740.tif 000007
【図６】
2010116740.tif 000008
【図７】
2010116740.tif 000009